【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
結着樹脂、着色剤、ワックス成分、及び荷電制御剤を含有するトナー粒子を少なくとも有する乾式トナーであって、
前記着色剤には少なくともキナクリドン顔料及び溶性アゾ顔料が含まれ、キナクリドン顔料と溶性アゾ顔料のトナー粒子中における総含有量は１〜２０質量％で、キナクリドン顔料及び溶性アゾ顔料の含有量の質量比率は１０：９０〜５０：５０であり、
前記ワックス成分の融点は４０〜１３０℃であり、
かつ、フロー式粒子像測定装置で測定される円相当個数平均径が２〜１０μｍであり、平均円形度が０．９４０〜０．９９５であり、円形度標準偏差が０．０４０未満であることを特徴とする乾式トナー。
【請求項２】
前記トナーを２５℃で圧縮成型することにより得られる平滑な表面を有するトナー平板表面の水に対する接触角をθ２５とし、１００℃で２分間の加熱処理を行った前記トナー平板表面の水に対する接触角をθ１００としたときに、３°≦θ１００−θ２５≦１５°の関係を満たすことを特徴とする請求項１に記載の乾式トナー。
【請求項３】
前記荷電制御剤が、ジアルキルサリチル酸誘導体であることを特徴とする請求項１又は２に記載の乾式トナー。
【請求項４】
前記荷電制御剤が、含硫黄重合体であることを特徴とする請求項１又は２に記載の乾式トナー。
【請求項５】
前記含硫黄重合体が、スルホン酸基を有する重合体であることを特徴とする請求項４に記載の乾式トナー。
【請求項６】
前記平均円形度が０．９５５〜０．９９５で、前記円形度標準偏差が０．０３５未満であることを特徴とする請求項１乃至５のいずれか一項に記載の乾式トナー。
【請求項７】
前記平均円形度が０．９７０〜０．９９０で、前記円形度標準偏差が０．０１５以上０．０３５未満であることを特徴とする請求項１乃至６のいずれか一項に記載の乾式トナー。
【請求項８】
円形度０．９５０未満のトナー粒子が１５個数％以下であることを特徴とする請求項１乃至７のいずれか一項に記載の乾式トナー。
【請求項９】
前記キナクリドン顔料が下記一般式［１］で示される顔料であることを特徴とする請求項１乃至８のいずれか一項に記載の乾式トナー。
【化１】
2003207944.tif 000001
【請求項１０】
前記溶性アゾ顔料が下記一般式［２］で示される顔料であることを特徴とする請求項１乃至９のいずれか一項に記載の乾式トナー。
【化２】
2003207944.tif 000002
【請求項１１】
前記キナクリドン顔料が、Ｃ．Ｉ．Ｐｉｇｍｅｎｔ  Ｒｅｄ  １２２、Ｃ．Ｉ．Ｐｉｇｍｅｎｔ  Ｒｅｄ  ２０２、及びＣ．Ｉ．Ｐｉｇｍｅｎｔ  Ｖｉｏｌｅｔ  １９の群から選ばれるいずれかであることを特徴とする請求項１乃至１０のいずれか一項に記載の乾式トナー。
【請求項１２】
前記溶性アゾ顔料が、Ｃ．Ｉ．Ｐｉｇｍｅｎｔ  Ｒｅｄ  ４８：１、Ｃ．Ｉ．Ｐｉｇｍｅｎｔ  Ｒｅｄ  ４８：２、Ｃ．Ｉ．Ｐｉｇｍｅｎｔ  Ｒｅｄ  ４８：３、Ｃ．Ｉ．Ｐｉｇｍｅｎｔ  Ｒｅｄ  ４８：４、Ｃ．Ｉ．Ｐｉｇｍｅｎｔ  Ｒｅｄ  ４８：５、Ｃ．Ｉ．Ｐｉｇｍｅｎｔ  Ｒｅｄ  ５２：１、Ｃ．Ｉ．Ｐｉｇｍｅｎｔ  Ｒｅｄ  ５２：２、Ｃ．Ｉ．Ｐｉｇｍｅｎｔ  Ｒｅｄ  ５７：１、Ｃ．Ｉ．Ｐｉｇｍｅｎｔ  Ｒｅｄ  ５８：２、Ｃ．Ｉ．Ｐｉｇｍｅｎｔ  Ｒｅｄ  ５８：４、Ｃ．Ｉ．Ｐｉｇｍｅｎｔ  Ｒｅｄ  ６４、Ｃ．Ｉ．Ｐｉｇｍｅｎｔ  Ｒｅｄ  ６４：１、Ｃ．Ｉ．Ｐｉｇｍｅｎｔ  Ｒｅｄ  ２００、及びＣ．Ｉ．Ｐｉｇｍｅｎｔ  Ｂｒｏｗｎ  ５の群から選ばれるいずれかであることを特徴とする請求項１乃至１１のいずれか一項に記載の乾式トナー。
【請求項１３】
フルカラー画像形成時に用いられるマゼンタトナーであることを特徴とする請求項１乃至１２のいずれか一項に記載の乾式トナー。
【請求項１４】
像担持体と、像担持体を帯電させる帯電手段と、帯電した像担持体に静電潜像を形成する静電潜像形成手段と、像担持体に形成された静電潜像を現像剤によって現像してトナー像を形成する現像手段と、形成されたトナー像を像担持体から転写材に転写する転写手段と、転写材上の未定着トナー像を転写材に定着させる定着手段とを有する画像形成装置において、
前記現像剤は、請求項１乃至１３のいずれか一項に記載の乾式トナーであることを特徴とする画像形成装置。
【手続補正２】
【補正対象書類名】明細書
【補正対象項目名】００５６
【補正方法】変更
【補正の内容】
【００５６】
本発明に係るキナクリドン顔料としては、下記一般式［１］で示される顔料が挙げられ、これらを単独、若しくは併用して用いることができる。
【手続補正３】
【補正対象書類名】明細書
【補正対象項目名】００５７
【補正方法】変更
【補正の内容】
【００５７】
【化４】
2003207944.tif 000003
【手続補正４】
【補正対象書類名】明細書
【補正対象項目名】００５９
【補正方法】変更
【補正の内容】
【００５９】
一方、本発明に係る溶性アゾ顔料とは、親水性基をもつ水溶性又は難水溶性アゾ染料を、例えばＣａ、Ｂａ、Ｓｒ、Ｍｎ等の金属で塩を形成させて、不溶性化したアゾレーキ顔料を言い、このような溶性アゾ顔料としては、下記一般式［２］で示される顔料が挙げられ、これらを単独、若しくは併用して用いることができる。
【手続補正５】
【補正対象書類名】明細書
【補正対象項目名】００６０
【補正方法】変更
【補正の内容】
【００６０】
【化５】
2003207944.tif 000004
【手続補正６】
【補正対象書類名】明細書
【補正対象項目名】００６１
【補正方法】変更
【補正の内容】
【００６１】
上記溶性アゾ顔料としては、例えば、Ｃ．Ｉ．Ｐｉｇｍｅｎｔ  Ｒｅｄ  ４８：１、Ｃ．Ｉ．Ｐｉｇｍｅｎｔ  Ｒｅｄ  ４８：２、Ｃ．Ｉ．Ｐｉｇｍｅｎｔ  Ｒｅｄ  ４８：３、Ｃ．Ｉ．Ｐｉｇｍｅｎｔ  Ｒｅｄ  ４８：４、Ｃ．Ｉ．Ｐｉｇｍｅｎｔ  Ｒｅｄ  ４８：５、Ｃ．Ｉ．Ｐｉｇｍｅｎｔ  Ｒｅｄ  ５２：１、Ｃ．Ｉ．Ｐｉｇｍｅｎｔ  Ｒｅｄ  ５２：２、Ｃ．Ｉ．Ｐｉｇｍｅｎｔ  Ｒｅｄ  ５７：１、Ｃ．Ｉ．Ｐｉｇｍｅｎｔ  Ｒｅｄ  ５８：２、Ｃ．Ｉ．Ｐｉｇｍｅｎｔ  Ｒｅｄ  ５８：４、Ｃ．Ｉ．Ｐｉｇｍｅｎｔ  Ｒｅｄ  ６４、Ｃ．Ｉ．Ｐｉｇｍｅｎｔ  Ｒｅｄ  ６４：１、Ｃ．Ｉ．Ｐｉｇｍｅｎｔ  Ｒｅｄ  ２００、及びＣ．Ｉ．Ｐｉｇｍｅｎｔ  Ｂｒｏｗｎ  ５（それぞれカラーインデックス第４版記載の名称による）等が挙げられるが、特に、Ｃ．Ｉ．Ｐｉｇｍｅｎｔ  Ｒｅｄ  ５７：１が上記キナクリドン顔料の再凝集抑制による分散性の改善、さらには発色性、色調、及び帯電特性の向上等の点から好ましく用いられる。
【手続補正７】
【補正対象書類名】明細書
【補正対象項目名】００６９
【補正方法】変更
【補正の内容】
【００６９】
本発明において使用し得るワックス成分としては、具体的には、パラフィンワックス、マイクロクリスタリンワックス、ペトロラタムの如き石油系ワックス及びその誘導体、モンタンワックス及びその誘導体、フィッシャートロプシュ法による炭化水素ワックス及びその誘導体、ポリエチレンに代表されるポリオレフィンワックス及びその誘導体、カルナバワックス、キャンデリラワックスの如き天然ワックス及びそれらの誘導体等が挙げられ、誘導体には酸化物や、ビニルモノマーとのブロック共重合物、グラフト変性物も含まれる。また、高級脂肪族アルコールの如きアルコール；ステアリン酸、パルミチン酸の如き脂肪族あるいはその化合物；酸アミド、エステル、ケトン、硬化ヒマシ油及びその誘導体、植物ワックス、動物ワックスが挙げられる。これらは単独、若しくは併せて用いることができる。
【手続補正８】
【補正対象書類名】明細書
【補正対象項目名】０１５０
【補正方法】変更
【補正の内容】
【０１５０】
また、本発明では、キナクリドン顔料が前記一般式［１］で示される顔料であると、色相や耐光性等の物理的安定性を向上させる上でより効果的であり、Ｃ．Ｉ．Ｐｉｇｍｅｎｔ  Ｒｅｄ  １２２、Ｃ．Ｉ．Ｐｉｇｍｅｎｔ  Ｒｅｄ  ２０２、及びＣ．Ｉ．Ｐｉｇｍｅｎｔ  Ｖｉｏｌｅｔ  １９の群から選ばれるいずれかであると、より一層効果的である。
【手続補正９】
【補正対象書類名】明細書
【補正対象項目名】０１５１
【補正方法】変更
【補正の内容】
【０１５１】
また、本発明では、溶性アゾ顔料が前記一般式［２］で示される顔料であると、分散性の改善や発色性、色調、及び帯電特性を向上させる上でより効果的であり、Ｃ．Ｉ．Ｐｉｇｍｅｎｔ  Ｒｅｄ  ４８：１、Ｃ．Ｉ．Ｐｉｇｍｅｎｔ  Ｒｅｄ  ４８：２、Ｃ．Ｉ．Ｐｉｇｍｅｎｔ  Ｒｅｄ  ４８：３、Ｃ．Ｉ．Ｐｉｇｍｅｎｔ  Ｒｅｄ  ４８：４、Ｃ．Ｉ．Ｐｉｇｍｅｎｔ  Ｒｅｄ  ４８：５、Ｃ．Ｉ．Ｐｉｇｍｅｎｔ  Ｒｅｄ  ５２：１、Ｃ．Ｉ．Ｐｉｇｍｅｎｔ  Ｒｅｄ  ５２：２、Ｃ．Ｉ．Ｐｉｇｍｅｎｔ  Ｒｅｄ  ５７：１、Ｃ．Ｉ．Ｐｉｇｍｅｎｔ  Ｒｅｄ  ５８：２、Ｃ．Ｉ．Ｐｉｇｍｅｎｔ  Ｒｅｄ  ５８：４、Ｃ．Ｉ．Ｐｉｇｍｅｎｔ  Ｒｅｄ  ６４、Ｃ．Ｉ．Ｐｉｇｍｅｎｔ  Ｒｅｄ  ６４：１、Ｃ．Ｉ．Ｐｉｇｍｅｎｔ  Ｒｅｄ  ２００、及びＣ．Ｉ．Ｐｉｇｍｅｎｔ  Ｂｒｏｗｎ  ５の群から選ばれるいずれかであると、より一層効果的である。